(57)【要約】【課題】本発明は、発光ダイオードの放熱効率を高めるランプカバー及びそれを有するランプを提供することを目的とする。【解決手段】本発明に係るランプカバーは、光入射面及び光出射面を有する。前記ランプカバーには、複数の集光部が形成され、本発明に係るランプは、ランプホルダーと、ランプカバーと、発光ダイオードモジュールと、を備え、前記ランプホルダーと前記ランプカバーとは連接されて収容空間を形成し、前記発光ダイオードモジュールは、前記収容空間に収容される。【選択図】図３
2013140725.tif 000002
【特許請求の範囲】
【請求項１】
光入射面及び光出射面を有するランプカバーであって、
前記ランプカバーには、複数の集光部が形成されていることを特徴とするランプカバー。
【請求項２】
前記複数の集光部は、前記ランプカバーの光入射面から前記光出射面の内部に向かって窪んで形成され、前記ランプカバーの光出射面は、滑らかであることを特徴とする請求項１に記載のランプカバー。
【請求項３】
前記複数の集光部は、前記ランプカバーの光出射面から外部に向かって突出して形成され、前記ランプカバーの光入射面は、滑らかであることを特徴とする請求項１に記載のランプカバー。
【請求項４】
前記ランプカバーは、互いに単独に形成された固定部及び殻体を備え、前記殻体は、前記固定部に固定され、前記光入射面及び前記光出射面は、前記殻体に設置されていることを特徴とする請求項１〜３のいずれか一項に記載のランプカバー。
【請求項５】
前記固定部に第一位置決め構造が形成され、前記殻体に第一位置決め構造に対応する第二位置決め構造が形成され、前記第一位置決め構造及び第二位置決め構造は、前記固定部及び殻体の位置設定に用いられることを特徴とする請求項４に記載のランプカバー。
【請求項６】
ランプホルダーと、ランプカバーと、発光ダイオードモジュールと、を備え、前記ランプホルダーと前記ランプカバーとは、連接されて収容空間を形成し、前記発光ダイオードモジュールは、前記収容空間に収容されるランプであって、
前記ランプカバーは、請求項１〜５のいずれか一項に記載のランプカバーであることを特徴とするランプ。
【請求項７】
前記ランプは、前記ランプホルダーと前記ランプカバーとの間に設置される放熱器をさらに備え、前記発光ダイオードモジュールは、前記放熱器の基板の上表面に設置され、前記発光ダイオードモジュールから出射される光線は、前記光入射面を介して前記ランプカバーに入った後、前記光出射面を介して外へ出射されることを特徴とする請求項６に記載のランプ。
【発明の詳細な説明】
【技術分野】
【０００１】
本発明は、照明装置に関するものであって、特に発光ダイオードを備えたランプカバー及びそれを有するランプに関するものである。
【背景技術】
【０００２】
発光ダイオードランプ等のような各々のランプ光源には、集光レンズを一体成形して設置している。しかし、レンズを発光ダイオードに直接的に設置すると、発光ダイオードの放熱に不利であり、発光ダイオードの寿命を短くする。
【発明の概要】
【発明が解決しようとする課題】
【０００３】
本発明の目的は、前記課題を解決し、発光ダイオードの放熱効率を高めるランプカバー及びそれを有するランプを提供することである。
【課題を解決するための手段】
【０００４】
本発明に係るランプカバーは、光入射面及び光出射面を有し、前記ランプカバーには、複数の集光部が形成されている。
【０００５】
本発明に係るランプは、ランプホルダーと、ランプカバーと、発光ダイオードモジュールと、を備え、前記ランプホルダーと前記ランプカバーとは連接されて収容空間を形成し、前記発光ダイオードモジュールは、前記収容空間に収容される。
【発明の効果】
【０００６】
本発明のランプカバー及びそれを有するランプは、集光部が発光ダイオードモジュールに直接的に設置されることがなく、前記集光部と前記発光ダイオードモジュールとを離間させる。発光ダイオードモジュールから生じた熱は、空気に直接的に放熱され、前記発光ダイオードモジュールの放熱効率を高めることができる。
【図面の簡単な説明】
【０００７】
【図１】本発明の第一実施形態に係るランプの立体組立図である。
【図２】図１に示すランプの立体分解図である。
【図３】図１に示すランプの断面図である。
【図４】本発明の第二実施形態に係るランプの断面図である。
【発明を実施するための形態】
【０００８】
以下、図面を参照して、本発明の実施形態について説明する。
【０００９】
図１〜図３を参照すると、本発明の第一実施形態に係るランプは、ランプホルダー１１と、電源モジュール１２と、放熱器１３と、発光ダイオードモジュール１４及びランプカバー１５と、を備える。
【００１０】
前記ランプホルダー１１は、前記放熱器１３に連接固定されている絶縁部１１２、及び前記絶縁部１１２の端部に設置されている電気接続端１１４を備える。前記電気接続端１１４は、外部電源に電気的に接続されて、前記ランプに電力を提供するために用いられる。
【００１１】
前記電源モジュール１２は、前記放熱器１３の内部に設置され、且つ前記電気接続端１１４及び前記発光ダイオードモジュール１４に電気的に接続されて、前記発光ダイオードモジュール１４に駆動電圧を提供する。
【００１２】
前記放熱器１３は、基板１３２と、複数の放熱フィン１３４及び中空の柱体１３６と、を備える。前記基板１３２は、対向して設置される上表面及び下表面を含み、前記上表面は、前記ランプホルダー１１から離間している。前記基板１３２は、セラミックなどのような高熱伝導性を有する絶縁材料からなる。前記セラミックは、酸化アルミニウム、窒化アルミニウム又はこの両種の混合物であることが好ましい。前記基板１３２の上表面には、取り付け凹部１３２１が前記発光ダイオードモジュール１４を取り囲んで形成され、前記ランプカバー１５の装着に用いられる。また前記基板１３２には、前記基板１３２を貫通する少なくとも１つの貫通孔１３２２が設けられており、前記発光ダイオードモジュール１４と前記電源モジュール１２とを電気的に接続させる。
【００１３】
複数の前記放熱フィン１３４及び前記中空の柱体１３６は、前記基板１３２の下表面に設置される。複数の前記放熱フィン１３４は、前記中空の柱体１３６の外表面を等間隔に取り囲むように設置され、且つ前記中空の柱体１３６の外表面に接続される。前記中空の柱体１３６の前記基板１３２から離れている一端は、前記絶縁部１１２に連接固定される。前記電源モジュール１２は、前記中空の柱体１３６に収容することができるため、前記ランプ全体の体積を縮小できる。本実施形態において、複数の前記放熱フィン１３４及び前記中空の柱体１３６は、前記基板１３２と同じ材料が採用されて一体成形される。
【００１４】
前記ランプカバー１５は、ガラス、プラスチックなどのような透明材料からなる。前記ランプカバー１５は、放熱器１３に対応して設置され、且つ収容空間１６を形成する。前記ランプカバー１５は、前記放熱器１３に連接固定される固定部１５２、及び前記固定部１５２に接続される殻体１５４を備える。前記固定部１５２及び殻体１５４は、注型成形によってそれぞれ成形される。前記固定部１５２の底端には、接続端１５２３が設置されている。前記接続端１５２３には、複数のボス１５２４が水平面に沿って折り曲げられて延在している。前記接続端１５２３と前記ボス１５２４とは、係合するか又は螺合することによって前記放熱器１３の取り付け凹部１３２１に設置される。本実施形態において、前記接続端１５２３は、円環状である。前記ボス１５２４は、四つを含み、且つ前記接続端１５２３の底端にそれぞれ対称に設置される。前記接続端１５２３に凹部を設けてもよく、この場合、前記接続端１５２３は切れ目を有する長方形状を呈する。同時に、前記ボス１５２４の数量は、実際の需要に基づいて変更することができる。前記固定部１５２の前記接続端１５２３に対向する端部には、第一位置決め構造１５２１が設けられている。本実施形態において、前記第一位置決め構造１５２１は、環状の突起である。
【００１５】
前記殻体１５４は、ほぼ半球状であり、対向して設置された光入射面１５４２及び光出射面１５４３を備える。前記光入射面１５４２は、前記殻体１５４の内部に位置し且つ前記光出射面１５４３の内部に向かって窪む複数の集光部１７を形成する。前記光出射面１５４３は、滑らかであり、前記殻体１５４の外側に位置し且つ外部と直接的に接触する。前記殻体１５４と前記固定部１５２とを接続する箇所には、第二位置決め構造１５４１が前記第一位置決め構造１５２１に対応して形成されている。本実施形態において、前記第二位置決め構造１５４１は、環状の凹溝である。前記第一位置決め構造１５２１と前記第二位置決め構造１５４１が係合することによって、前記固定部１５２と前記殻体１５４は連接固定される。また、前記第一位置決め構造１５２１、前記第二位置決め構造１５４１は、位置設定だけであり、超音波溶接技術によって、前記固定部１５２と前記殻体１５４とを固定的に連接固定させることもできる。超音波溶接された前記固定部１５２及び前記殻体１５４は、一体成形と同じような強さをもつ。ランプカバー１５は、注型成形によってそれぞれ形成された前記固定部１５２と前記殻体１５４から成るので、従来のブロー成形（ｂｌｏｗ  ｍｏｌｄｉｎｇ）によって形成されるランプカバー１５に比べて、品質が良く且つ製造コストを節約することができる。また前記固定部１５２は、使用者の需要に基づいて、例えば円錐台又はラグビーボールなどのような異なる形状の殻体１５４に対応して、装着することができるため、ランプカバー１５の在庫を軽減できる。
【００１６】
前記第一位置決め構造１５２１、前記第二位置決め構造１５４１は、環状に限定されるものではなく、互いに離間しているバンプ、凹溝等の他の形状とすることができる。又、前記第一位置決め構造１５２１は、ボスに限定されるものではなく、凹溝等の他の構造とすることができる。同時に、前記第一位置決め構造１５２１に対応する第二位置決め構造１５４１は、ボス等の他の構造とすることができる。
【００１７】
前記発光ダイオードモジュール１４は、前記放熱器１３の基板１３２の上表面に設置され且つ前記収容空間１６内に収容される。前記発光ダイオードモジュール１４から出射された光線は、前記光入射面１５４２を介して前記ランプカバー１５に入った後、前記光出射面１５４３を介して外へ出射される。前記集光部１７と前記ランプカバー１５は、一体成形されているため、前記集光部１７は、前記発光ダイオードモジュール１４から出射された光線を集光することができる。また従来のランプの集光レンズが発光ダイオードモジュールに直接的に設置されていることに対して、前記集光部１７と前記発光ダイオードモジュール１４とは離間しているため、本発明の発光ダイオードモジュール１４から生じた熱は、空気に直接的に放熱されることから、さらに前記発光ダイオードモジュール１４の放熱効率を高めることができる。
【００１８】
本実施形態において、前記発光ダイオードモジュール１４は、五つの発光ダイオードを有するが、前記発光ダイオードモジュール１４の数量は、本実施形態に限定されるものではない。また前記発光ダイオードモジュール１４は、前記基板１３２の上表面に設置され、前記発光ダイオードモジュール１４に電気的に接続される回路が前記上表面に形成される。前記回路は、前記上表面に電鍍によって形成されることが好ましい。
【００１９】
図４は、本発明の第二実施形態のランプを示す。前記第一実施形態のランプと異なる点は、ランプカバー２５の光入射面２５４２が滑らかで、光出射面２５４３の外表面に、複数の集光部２７が前記光出射面２５４３から外部に向かって突出して形成されることである。
【００２０】
以上、本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２１】
１１  ランプホルダー
１２  電源モジュール
１３  放熱器
１４  発光ダイオードモジュール
１５  ランプカバー
１６  収容空間
１７、２７  集光部
１１２  絶縁部
１１４  電気接続端
１３２  基板
１３４  放熱フィン
１３６  柱体
１５２  固定部
１５４  殻体
１３２１  取り付け凹部
１３２２  貫通孔
１５２１  第一位置決め構造
１５２３  接続端
１５２４  ボス
１５４１  第二位置決め構造
１５４２、２５４２  光入射面
１５４３、２５４３  光出射面
【図１】
2013140725.tif 000003
【図２】
2013140725.tif 000004
【図３】
2013140725.tif 000005
【図４】
2013140725.tif 000006